【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
ハウジングと、
前記ハウジング内に配置されるプロジェクタエンジンと、
高ゲインの内面を有し、前記プロジェクタエンジンからの光が前記内面に入射するように前記ハウジングに結合される、湾曲スクリーンと、
凹面を有し、前記スクリーンから反射される光が前記凹面に入射するように前記ハウジングに結合される、半透明の湾曲コンバイナと
を含む、ポータブルヘッドアップディスプレイデバイス。
【手続補正２】
【補正対象書類名】明細書
【補正対象項目名】００９０
【補正方法】変更
【補正の内容】
【００９０】
[0112]１つまたは複数の実施形態が本明細書に記載されているが、当然のことながら、これらの実施形態に対する修正形態および代替形態も企図され、そうした修正形態および代替実施形態は、本発明の利点および利得の１つまたは複数を得ることができ、それらは本明細書および図面を参照する当業者には明らかであろう。そうした修正形態および代替形態は、本明細書において以下に特許請求されるような本発明の範囲内にあることが企図される。
［形態１］
ハウジングと、
前記ハウジング内に配置されるプロジェクタエンジンと、
高ゲインの内面を有し、前記プロジェクタエンジンからの光が前記内面に入射するように前記ハウジングに結合される、湾曲スクリーンと、
凹面を有し、前記スクリーンから反射される光が前記凹面に入射するように前記ハウジングに結合される、半透明の湾曲コンバイナと
を含む、ポータブルヘッドアップディスプレイデバイス。
［形態２］
前記スクリーンを前記ハウジングに回転可能に結合するための第１のヒンジと、
前記コンバイナを前記ハウジングに回転可能に結合するための第２のヒンジと
をさらに含む、形態１に記載のデバイス。
［形態３］
前記スクリーンの前記内面が、略球状凹面である、形態１に記載のデバイス。
［形態４］
前記スクリーンが、前記プロジェクタエンジンからの入射光の方向から上方に傾けられるように前記ハウジングに結合され、
前記コンバイナが、前記スクリーンからの反射光の方向から上方に傾けられるように前記ハウジングに結合される、
形態３に記載のデバイス。
［形態５］
前記スクリーンの前記凹面が、歪曲を補償するように非球状であり、
前記コンバイナの前記凹面が、歪曲を補償するように非球状である、
形態４に記載のデバイス。
［形態６］
前記スクリーンを前記ハウジングに回転可能に結合するための第１のヒンジと、
前記コンバイナを前記ハウジングに回転可能に結合するための第２のヒンジと
をさらに含む、形態５に記載のデバイス。
［形態７］
画像を前記スクリーンの前記内面に投影するように前記プロジェクタエンジンを制御する制御電子部品
をさらに含み、
前記制御電子部品が、前記コンバイナに現れる画像における歪曲を補償するように、投影される画像を予歪するように前記プロジェクタエンジンを制御する、
形態４に記載のデバイス。
［形態８］
前記スクリーンの前記内面のゲインが、少なくとも約４．０である、形態１に記載のデバイス。
［形態９］
前記スクリーンの前記内面が、若干拡散するように光を反射するように、粗面化面およびコーティングからなる群から選択される表面処理を有する、形態８に記載のデバイス。
［形態１０］
前記スクリーンの前記内面が、区分的セグメントに構築される、形態１に記載のデバイス。
［形態１１］
前記区分的セグメントが、フレネル面として構成される、形態１０に記載のデバイス。
［形態１２］
前記プロジェクタエンジンが、複数の光源素子を含み、前記複数の光源素子が、それらのうちの他のものによって発せられるのとは異なる選ばれた色の狭波長の光をそれぞれ発し、
前記スクリーンの前記内面が、前記光源によって発せられる光の波長に対応する選ばれた波長の光を反射する二色性コーティングを含む、
形態１に記載のデバイス。
［形態１３］
前記コンバイナの前記凹面が、前記光源によって発せられる光の波長に対応する選ばれた波長の光を反射する二色性コーティングを含む、形態１２に記載のデバイス。
［形態１４］
前記コンバイナの前記凹面が、前記光源によって発せられる光の波長に対応する選ばれた波長の光を反射する二色性コーティングを含む、形態１に記載のデバイス。
［形態１５］
前記コンバイナの前記凹面が、前記コンバイナと前記スクリーンとの間の距離の２倍を上回る曲率半径を有する、形態１に記載のデバイス。
［形態１６］
前記デバイスの使用者によるハンドジェスチャに応答して信号を生成する後方向きセンサと、
前記センサおよび前記プロジェクタエンジンに接続され、前記センサによって生成される信号から使用者によるハンドジェスチャを検出し前記ジェスチャに応答して画像を投影するように前記プロジェクタエンジンを制御する、制御電子部品と
をさらに含む、形態１に記載のデバイス。
［形態１７］
マイクロフォン
をさらに含み、
前記制御電子部品が、前記マイクロフォンに接続され、さらに、前記マイクロフォンを通じて受け取るオーディオコマンドに応答して画像を投影するように前記プロジェクタエンジンを制御する、
形態１６に記載のデバイス。
［形態１８］
前記後方向きセンサが、カメラを含む、形態１６に記載のデバイス。
［形態１９］
前記カメラが、赤外光に対する感光性を有し、
前記デバイスは、
赤外線発光体
をさらに含み、
前記スクリーンが、前記ハウジングに取り付けられるスクリーンクロージャ内に配置され、前記カメラが、前記スクリーンクロージャに取り付けられ、前記赤外線発光体が、前記カメラの上の位置において前記スクリーンクロージャに取り付けられる、
形態１８に記載のデバイス。
［形態２０］
前記コンバイナの凸面に紫外光を投影する第２のプロジェクタ
をさらに含み、
前記制御電子部品が、前記第２のプロジェクタに接続され、画像を投影するように前記第２のプロジェクタを制御し、
前記コンバイナの前記凸面が、前記第２のプロジェクタによって投影される画像が見えるように紫外光に対する感光性を有する、
形態１６に記載のデバイス。
［形態２１］
画像を撮影する前方向きカメラ
をさらに含み、
前記制御電子部品が、前記前方向きカメラに接続され、前記前方向きカメラによって撮影される画像上の道路位置インジケーションに応答して画像を投影するように前記プロジェクタエンジンを制御する、
形態１６に記載のデバイス。
［形態２２］
前記ハウジング内に配置される１つまたは複数の振動補償モータと、
前記ハウジング内に配置される、振動を感知するための姿勢センサと、
前記姿勢センサに接続され、前記姿勢センサからの信号に応答して前記１つまたは複数の振動補償モータを制御する制御電子部品と
をさらに含む、形態１に記載のデバイス。
［形態２３］
前記１つまたは複数の振動補償モータが、前記スクリーンおよび前記コンバイナのうちの１つまたは複数に接続される、形態２２に記載のデバイス。
［形態２４］
前記ハウジング内に配置される、振動を感知するための姿勢センサと、
前記姿勢センサに接続され、前記姿勢センサによって感知される振動を補償するように、投影のときに前記画像が予歪されるように、前記姿勢センサからの信号に応答して、前記スクリーンの前記内面に画像を投影するように前記プロジェクタを制御する、制御電子部品と
をさらに含む、形態１に記載のデバイス。
［形態２５］
前記ヘッドアップディスプレイデバイスの付近にある外部コンピューティングデバイスと通信するためのトランシーバと
前記トランシーバに接続され、前記外部コンピューティングデバイスにおいて実行されるアプリケーションからのグラフィックデータを表す画像を前記スクリーンの前記内面上に投影するように前記プロジェクタエンジンを制御する、ディスプレイサブシステムと
を含む、制御電子部品
をさらに含む、形態１に記載のデバイス。
［形態２６］
車両のドライバに見える画像を生成する方法であって、
ヘッドアップディスプレイデバイスを車両の運転席の前にあるダッシュボード上に配置するステップと、
前記ヘッドアップディスプレイデバイスに取り付けられる湾曲スクリーンの内面に向けて、後方に画像を投影するように前記ヘッドアップディスプレイデバイス内のプロジェクタエンジンを動作させるステップであって、前記スクリーンの前記内面が、高ゲインを有しドライバから逸れた方を向く、ステップと、
投影画像を、前記スクリーンから前記ヘッドアップディスプレイデバイスに取り付けられる半透明の湾曲コンバイナの、前記ドライバの方に向く凹面に反射するステップと
を含む、方法。
［形態２７］
前記スクリーンが、前記プロジェクタエンジンからの入射光の方向から上方に傾けられるように、前記ハウジングに結合され、
前記コンバイナが、前記スクリーンからの反射光の方向から上方に傾けられるように、前記ハウジングに結合され、
前記プロジェクタエンジンを動作させるステップが、前記コンバイナに現れる画像におけるキーストーン形歪曲を補償するように、投影のときに前記画像を予歪するステップを含む、
形態２６に記載の方法。
［形態２８］
前記プロジェクタエンジンを動作させるステップが、複数の光源素子のそれぞれからの光を変調するステップを含み、各光源素子が、前記複数の光源素子のうちの他のものによって発せられるのとは異なる選ばれた色の狭波長の光を発する、
形態２６に記載の方法。
［形態２９］
ドライバによるハンドジェスチャを検出するステップと、
第１のハンドジェスチャに応答して第１の画像を投影するように前記プロジェクタエンジンを動作させるステップと
をさらに含む、形態２６に記載の方法。
［形態３０］
前記第１の画像を投影するようにプロジェクタエンジンを動作させるステップの後にオーディオコマンドを検出するステップと、
前記オーディオコマンドに応答して第２の画像を投影するように前記プロジェクタエンジンを動作させるステップと
をさらに含む、形態２９に記載の方法。
［形態３１］
前記第１の画像を投影するようにプロジェクタエンジンを動作させるステップの後に第２のハンドジェスチャを検出するステップと、
前記第２のハンドジェスチャに応答して第３の画像を投影するように前記プロジェクタエンジンを動作させるステップと
をさらに含む、形態２９に記載の方法。
［形態３２］
前記ハンドジェスチャを検出するステップが、カメラ、赤外線カメラ、静電容量センサ、電磁センサおよび超音波センサからなる群から選択される１つまたは複数のセンサによって実施される、形態２９に記載の方法。
［形態３３］
前記ハンドジェスチャを検出するステップが、赤外線カメラによって実施され、
赤外光によりドライバを照明するステップ
をさらに含む、形態２９に記載の方法。
［形態３４］
前記ヘッドアップディスプレイデバイスにおいて外部通信を受信するステップと、
次いで、前記外部通信に応答して画像を投影するように前記プロジェクタエンジンを動作させるステップと、
ドライバによるハンドジェスチャを検出するステップと、
次いで、第３のハンドジェスチャに応答して、異なる画像を投影するように前記プロジェクタエンジンを動作させるステップと
をさらに含む、形態２６に記載の方法。
［形態３５］
前記ヘッドアップディスプレイデバイスの近くにある通信デバイスとペアになるように前記ヘッドアップディスプレイデバイス内のトランシーバを動作させるステップ
をさらに含み、
前記外部通信が、前記通信デバイスによって受信され前記トランシーバに伝えられる、
形態３４に記載の方法。
［形態３６］
前記ヘッドアップディスプレイデバイスにおいて周辺光の状態を感知するステップ
をさらに含み、
前記プロジェクタエンジンを動作させるステップが、前記感知された周辺光の状態に応答して、投影される光の輝度を調節するステップを含む、
形態２６に記載の方法。
［形態３７］
ハウジングと、
前記ハウジング内に配置されるプロジェクタエンジンと、
前記ハウジングに結合されるスクリーンであって、前記プロジェクタエンジンからの光が前記スクリーンの表面に入射される、スクリーンと、
前記スクリーンから反射される光を受けるように前記ハウジングに結合される半透明コンバイナと、
前記ハウジングに取り付けられる、前記デバイスの使用者によるハンドジェスチャに応答して信号を生成する少なくとも１つの後方向きセンサと、
前記センサおよび前記プロジェクタエンジンに接続され、前記センサによって生成される信号から使用者によるハンドジェスチャを検出し、前記ジェスチャに応答して画像を投影するように前記プロジェクタエンジンを制御する、制御電子部品と
を含む、ポータブルヘッドアップディスプレイデバイス。
［形態３８］
ハウジングに取り付けられるマイクロフォン
をさらに含み、
前記制御電子部品が、さらに、前記マイクロフォンに接続され、前記マイクロフォンを通して受けるオーディオコマンドに応答して画像を投影するように前記プロジェクタエンジンを制御する、
形態３７に記載のデバイス。
［形態３９］
前記少なくとも１つの後方向きセンサが、カメラ、赤外線カメラ、静電容量センサ、電磁センサおよび超音波センサからなる群から選択される、形態３７に記載のデバイス。
［形態４０］
前記少なくとも１つの後方向きセンサが、赤外光に対する感光性を有し、
デバイスは、
赤外線発光体
をさらに含む、形態３７に記載のデバイス。
［形態４１］
前記スクリーンが、前記ハウジングに取り付けられるスクリーンエンクロージャ内に配置され、
前記カメラが、前記スクリーンエンクロージャに取り付けられ、前記赤外線発光体が、前記カメラの上の位置において前記スクリーンエンクロージャに取り付けられる、
形態３７に記載のデバイス。
［形態４２］
ハウジング本体と、
前記ハウジング本体内に配置されるプロジェクタエンジンと、
前記プロジェクタエンジンから投影される光を受けるように前記ハウジングに取り付けられるディスプレイスクリーンと、
前記ハウジング本体の下面近くに配置される第１の磁石と、
第２の磁石を含むパック要素と、
フット要素と
を含み、
前記フット要素が、
前記パック要素を受けるための開口の周りに配置される補強部分と、
前記開口から離れるように前記補強部分から延びる屈曲可能部分と
を含み、
前記フット要素の前記屈曲可能部分は、前記パック要素が前記補強部分の前記開口内にあり前記第１および第２の磁石が互いに対合した状態で、湾曲面に整合可能である、
ヘッドアップディスプレイデバイス。
［形態４３］
前記フット要素の前記屈曲可能部分が、
屈曲後にその形状を維持することができる屈曲可能コア材料と、
前記フット要素の下面における整合可能材料とを含む、
形態４２に記載のデバイス。
［形態４４］
前記整合可能材料が、粘着面を有する、形態４３に記載のデバイス。
［形態４５］
前記屈曲可能コア材料が、アルミニウム合金を含む、形態４３に記載のデバイス。
［形態４６］
前記フット要素の前記屈曲可能部分は、前記パック要素が前記補強部分の前記開口内にあり前記第１および第２の磁石が互いに対合した状態で、前記ハウジング本体を越えて横方向に延びる、形態４３に記載のデバイス。
［形態４７］
前記フット要素が、ジンバル式玉継手をさらに含み、
前記バジル式玉継手は、前記パック要素が前記補強部分の前記開口内にあり前記第１および第２の磁石が互いに対合した状態で、前記ハウジング本体の下に配置され、前記フット要素に対して前記ハウジング本体を傾けることができるようにする、
形態４３に記載のデバイス。
［形態４８］
前記フット要素の前記屈曲可能部分が、
前記フット要素の第１および第２の側から横方向に延びる第１および第２のウイングと、
前記フット要素の第３の側から延びるキックスタンドテール片とを含む、
形態４３に記載のデバイス。
［形態４９］
前記パック要素が、
前記第２の磁石を含み、前記フット要素の前記補強部分の前記開口に対応する形状を有する、本体と、
前記本体の上面にある電気コネクタと、
前記電気コネクタに電気的に接続され前記パック要素からプラグまで延びるケーブルとを含む、
形態４２に記載のデバイス。